(57)【要約】本発明の電子機器（１）は、物体（２３）の物体ホルダ（２１）への挿入及び／又は物体ホルダからの物体の取り外しを示す信号を検知器（９）から受信し得る制御ユニット（５）を含む。制御ユニット（５）は、検知器（９）からの信号に依存してコンテンツの再生を開始するために再生手段（７）をさらに用い得る。本発明の物体ホルダ（２１）は、物体（２３）の物体ホルダ（２１）への挿入及び／又は物体ホルダからの物体の取り外しを検知し得る検知器（９）を含む。検知器（９）は、前記挿入及び／又は取り外しを示し且つ物体を識別する識別子及び／又は物体ホルダ（２１）及び／又は物体ホルダ（２１）内の位置を識別する追加識別子を含む信号をさらに生成し得る。本発明のシステムは、電子機器（１）と物体ホルダ（２１）とを含む。
2006511015.tif 000002
【特許請求の範囲】
【請求項１】
コンテンツを再生するために再生手段を用い得る制御ユニットを有し、
前記制御ユニットは、物体の物体ホルダへの挿入を含む第一事象及び物体ホルダからの物体の取り外しを含む第二事象のうちの１つの発生を示す信号を検知器から受信可能であり、
前記制御ユニットは、前記検知器からの信号に依存して、記憶手段からのコンテンツの再生を開始するために前記再生手段を用い得る、
ことを特徴とするコンテンツ再生のための電子機器。
【請求項２】
前記電子機器は、記憶手段をさらに含み、
前記制御ユニットは、着脱可能媒体からのコンテンツ、着脱可能媒体のケースの識別子及び前記コンテンツと前記識別子との間の関連を前記記憶手段に記憶可能であり、
前記制御ユニットは、ケースホルダへの前記ケースの挿入を含む第一事象及び前記ケースホルダからの前記ケースの取り外しを含む第二事象のうちの１つの発生を示す信号を前記検知器から受信可能である、
ことを特徴とする請求項１に記載の電子機器。
【請求項３】
当該電子機器は、前記着脱可能媒体を読取可能な読取装置をさらに含み、前記制御ユニットは、前記着脱可能媒体からの前記コンテンツを読み取ることを前記読取装置に指令し得ることを特徴とする請求項２に記載の電子機器。
【請求項４】
前記制御ユニットは、前記物体を前記物体ホルダに挿入する方法を示す信号を受信可能であり、前記制御ユニットは、前記コンテンツの部分の再生を開始するために前記再生手段を使用可能であり、前記コンテンツの前記部分は、前記物体を前記物体ホルダに挿入する前記方法に依存することを特徴とする請求項１に記載の電子機器。
【請求項５】
前記制御ユニットは、もし前記第二事象の発生が信号内に示されるならば、前記コンテンツの再生を開始するために前記再生手段を用い得ることを特徴とする請求項１に記載の電子機器。
【請求項６】
前記制御ユニットは、もし前記第一事象の発生が信号内に示されるならば、前記コンテンツの再生を開始するために前記再生手段を用い得ることを特徴とする請求項１に記載の電子機器。
【請求項７】
前記制御ユニットは、物体ホルダ及び物体ホルダ内の位置のうちの少なくとも１つを識別する追加識別子を有する信号を受信し、且つ、前記追加識別子を用いて、追加記憶手段から前記識別子を取り出し可能であるであることを特徴とする請求項５に記載の電子機器。
【請求項８】
前記制御ユニットは、もし前記第一事象の発生が前記信号に示されるならば、前記コンテンツの再生を開始するために前記再生手段を用いることができ、もし前記第二事象の発生が前記信号に示されるならば、前記コンテンツの再生を停止するために前記再生手段を用いることができることを特徴とする請求項１に記載の電子機器。
【請求項９】
前記制御ユニットは、前記物体を感知することによって前記識別子を取得することを前記感知手段に指令し得ることを特徴とする請求項１に記載の電子機器。
【請求項１０】
物体の物体ホルダへの挿入を含む第一事象及び前記物体ホルダからの前記物体の取り外しを含む第二事象のうちの少なくとも１つの発生を検知し、前記発生を示し且つ物体を識別するための識別子と物体ホルダ及び物体ホルダの位置のうちの少なくとも１つを識別する追加識別子とのうちの少なくとも１つを有する信号を生成し得る検知器を有することを特徴とする物体ホルダ。
【請求項１１】
前記物体ホルダは物体を挿入する方法を許容可能であり、前記検知器は前記物体を前記物体ホルダに挿入する前記方法を検知し且つ前記物体を前記物体ホルダに挿入する前記方法の識別子を前記信号に組み込み可能であることを特徴とする請求項１０に記載の物体ホルダ。
【請求項１２】
物体の物体ホルダへの挿入を含む第一事象及び前記物体ホルダからの前記物体の取り外しを含む第二事象のうちの少なくとも１つの発生を検知し、前記発生を示し且つ前記物体を識別する識別子並びに前記物体ホルダ及び前記物体ホルダの位置のうちの少なくとも１つを識別する追加識別子を含む信号を生成し得る物体ホルダと、
前記物体ホルダからの前記信号を受信し、前記信号に依存してコンテンツの再生を開始するために再生手段を有し得る電子機器と、
を有するコンテンツ再生システム。
【発明の詳細な説明】
【技術分野】
【０００１】
本発明は、コンテンツを再生するための電子機器に関し、コンテンツを再生するために再生手段を使用し得る制御ユニットを含む。
【０００２】
さらに、本発明は物体ホルダに関する。
【０００３】
本発明は、コンテンツを再生するためのシステムにも関する。
【背景技術】
【０００４】
この電子機器の実施態様は、家庭用電化製品の分野において既知である。コンテンツを再生するための従来の家庭用機器は、カセットプレーヤー及びＣＤプレーヤーである。着脱可能媒体をそのような機器に挿入し、再生ボタンを押すことで、着脱可能媒体のコンテンツの再生がなされる。新世代の家庭用機器は、ＣＤリーダ及びハードディスクキャッシュ機能を含む。音楽はＣＤから読み取られてハードディスク上に記憶され、場合によっては、圧縮形式で記憶される。家庭用機器の使用者は、例えば、家庭用機器のコントロール及びディスプレイを用いて、再生されるべきキャッシュ化されたＣＤ及び／又はキャッシュ化されたＣＤのトラックを選択し得る。そのコンテンツが再生される前に、使用者がＣＤを挿入する必要は最早なく、よって、ＣＤへの損傷が防止され、それ故に、再生中のエラーも防止される。
【０００５】
既知の電子機器の欠点は、使用者がキャッシュ化されたＣＤの迅速な再生開始を許容し得ないことである。探しているキャッシュ化されたＣＤを見い出すために、使用者は複数のメニューを検索しなければならない。加えて、メニュー構造は、例えば、キャッシュ化されたＣＤがカテゴリーによって指令されたときには、使用者にとって必ずしもいつも明瞭ではない。
【発明の開示】
【発明が解決しようとする課題】
【０００６】
冒頭において記載された種類の電子機器を提供することが本発明の目的であり、そのような電子機器によって、使用者はコンテンツの再生開始をより迅速に行うことが可能とされる。
【０００７】
冒頭において記載された種類の物体ホルダを提供することが本発明の他の目的であり、そのような物体ホルダによって、使用者はコンテンツの再生開始をより迅速に行うことが可能とされる。
【課題を解決するための手段】
【０００８】
本発明によれば、第一の目的は、前記制御ユニットが、物体の物体ホルダへの挿入を含む第一事象及び物体ホルダからの物体の取り外しを含む第二事象のうちの１つの発生を示す信号を検知器から受信可能であり、制御ユニットは、検知器からの信号に依存して、記憶手段からのコンテンツの再生を開始するために再生手段を用い得ることによって実現される。
【０００９】
物体の収集物の走査検索は、スクリーン上の長いリストのタイトルを走査検索するよりもずっと容易である。物体ホルダは物体を絶えず（即ち、殆ど常に）又は一時的に記憶するために用いることができる。電子機器は物体の物体ホルダへの挿入又は物体ホルダからの取り外し時に再生を開始し得ることによって、電子機器の使用者は着脱可能媒体のコンテンツの再生を迅速に開始し得る。追加的な利点として、使用者はどのコンテンツが再生中であるかを物体ホルダから容易に識別し得る。物体は、例えば、ＣＤ又はＤＶＤのケースである。代替的に、もし消費者がコンテンツをダウンロードするのであれば、彼らは物理的な記念を依然として要望するであろう。物理的な記念は、例えば、コード又はチップカードのようなデジタル権利を含み、コンテンツの再生を許容する。電子機器は、物理的記念が初めて物体ホルダに挿入されたときに、コンテンツをダウンロードし得る。さらに、電子機器又は例えばインターネットのようなネットワーク上のシステムは、例えば、記憶手段を含み、物体はコンテンツのカテゴリー、例えば、クラシック音楽を表わしてもよい。
【００１０】
本発明の電子機器の実施態様において、電子機器は、記憶手段をさらに含み、制御ユニットは、着脱可能媒体からのコンテンツ、着脱可能媒体のケースの識別子及びコンテンツと識別子との間の関連を記憶手段に記憶可能である。この実施態様において、制御ユニットは、ケースホルダへのケースの挿入を含む第一事象及び前記ケースホルダからのケースの取り外しを含む第二事象のうちの１つの発生を示す信号を検知器から受信可能である。多くの消費者はケース内に包装された着脱可能媒体、例えば、ＣＤ及び／又はＤＶＤの収集物を所有する。これらのケースは、再生されるべきコンテンツを選択するために有利に再使用され得る。制御ユニットは、ネットワーク上のシステム、即ち、ＣＤＤＢサービスを提供するインターネット上のシステムから取り込まれた特別情報を記憶媒体上に記憶し得る。この特別情報は、例えば、タイトル及び／又はアーチストの名前を含み得る。特別情報を表示するために、制御ユニットは、例えば、電子機器のディスプレイのような出力手段を用い得る。
【００１１】
電子機器は、着脱可能媒体を読取可能な読取装置をさらに含み、制御ユニットは、着脱可能媒体からのコンテンツを読み取ることを読取装置に指令し得る。代替的に、電子機器は読取装置を含む追加電子機器に接続され、電子機器は追加電子機器からコンテンツを受信し得る。追加電子機器は、例えば、ＣＤプレーヤー、ＤＶＤプレーヤー又はＰＣであり得る。もし識別子とコンテンツとの間の関連が記憶手段に記憶されていないならば、読取装置への着脱可能媒体の挿入を電子機器の使用者に指令するために、電子機器は、例えば、ＴＶ又は電子機器のディスプレイのような出力手段も用い得る。
【００１２】
制御ユニットは、物体を前記物体ホルダに挿入する方法を示す信号を受信可能であり、制御ユニットは、コンテンツの部分の再生を開始するために再生手段を使用可能であり、コンテンツの部分は、物体を物体ホルダに挿入する方法に依存する。ＣＤのケースが、例えば、ケースホルダに完全に或いは部分的に挿入され得る。背面を上又は下にしてケースを挿入することは、ケースをケースホルダに挿入する方法の他の例である。この機能は、例えば、キャッシュ化されたＣＤ又はＤＶＤのトラックを選択すること及び／又はキャッシュ化されたＣＤ又はＤＶＤの全てのトラックの連続的な又は無作為な再生を選択することを可能にする。
【００１３】
制御ユニットは、もし第二事象の発生が信号内に示されたときに、コンテンツの再生を開始するために再生手段を用い得る。この機能は、物体ホルダが物体を絶えず（例えば、殆ど常にであるが、コンテンツの再生中は含まない）保持するために用いられる実施態様において好ましい。各物体は物体ホルダに割り当てられ、物体を物体ホルダから取り外すことは、電子機器が再生を開始する引き金となり得る。もし追加物体が電子機器によるコンテンツの再生中に物体ホルダから取り外されるならば、電子機器は追加物体によって識別された追加コンテンツの再生を遅延し得る。もしコンテンツが複数部分を含むならば、追加物体又は追加物体の部分は複数部分の再生の間に再生され得る。
【００１４】
制御ユニットは、もし第一事象の発生が信号内に示されるならば、コンテンツの再生を開始するために再生手段を用い得る。物体を物体ホルダに入れ戻すことは、電子機器が再生を停止する引き金となり得る。代替的に、停止ボタンが物体ホルダに統合され得る。
【００１５】
制御ユニットは、物体ホルダ及び物体ホルダ内の位置のうちの少なくとも１つを識別する追加識別子を受信し、追加識別子を用いて、追加記憶手段から識別子を取り出し可能である。もし外部物体ホルダが、着脱可能媒体の識別子を書き込み得るメモリを含まないならば、それは読出し専用メモリ内の固定物体ホルダ識別子を含み得る。追加記憶手段が電子機器又は他の電子機器に含まれ得る。
【００１６】
制御ユニットは、もし前記第一事象の発生が信号に示されるならば、コンテンツの再生を開始するために再生手段を用いることができ、もし第二事象の発生が信号に示されるならば、コンテンツの再生を停止するために再生手段を用いることができる。この機能は、物体ホルダが一時的に（例えば、コンテンツの再生中のみ）物体を保持するために用いられる実施態様において好ましい。この実施態様において、物体ホルダは多くの物体の１つを保持可能である。物体の物体ホルダへの挿入は、電子機器が再生を開始する引き金となり、物体の物体ホルダからの取り外しは、電子機器が再生を停止する引き金となり得る。もし追加物体が電子機器によるコンテンツの再生中に物体ホルダに挿入されるならば、電子機器は追加物体によって識別された追加コンテンツの再生を遅延し得る。もしコンテンツが複数部分を含むならば、追加コンテンツ又は追加コンテンツの部分は、複数部分の再生の間に再生され得る。
【００１７】
制御ユニットは、例えば、着脱可能媒体のケースのような物体を感知することによって識別子を取得することを感知手段に指令し得る。代替的に、例えば、バーコードのような識別子が手動で、例えば、リモートコントロールを用いることによって提供され得る。制御ユニットは、例えば、物体の位置のような物体を物体ホルダに挿入する方法を感知することを感知手段に指令し得る。
【００１８】
本発明によれば、第二の目的は、物体の物体ホルダへの挿入を含む第一事象及び物体ホルダからの物体の取り外しを含む第二事象のうちの少なくとも１つの発生を検知し、発生を示し且つ物体を識別するための識別子と物体ホルダ及び物体ホルダの位置のうちの少なくとも１つを識別する追加識別子とのうちの少なくとも１つを有する信号を生成し得る検知器を有する物体ホルダによって実現される。
【００１９】
物体ホルダは物体を挿入する方法を許容し得る。検知器は、物体を物体ホルダに挿入する方法を検知し、且つ、物体を物体ホルダに挿入する方法の識別子を信号に組み込み可能である。
【００２０】
物体ホルダはさらに感知手段を含んでよく、検知器は、例えば、着脱可能媒体のケースのような物体を感知することによって識別子を取得することを感知手段に指令し得る。これによって、検知器は識別子を含む信号を生成し得る。代替的に、電子機器は、識別子を取得することを感知手段に指令することができ、検知器は追加識別子を含む信号を生成し得る。もし１つの物体が１つの物体ホルダ又は物体ホルダの１つの位置に割り当てられているならば、１つの物体が初めて１つの物体ホルダ又は１つの位置に挿入される前に、感知手段は識別子を取得することを指令され得る。識別子と追加識別子との間の関連は、物体ホルダに含まれるメモリ内に記憶され得る。その場合、検知器も識別子を含む信号を生成し得る。
【００２１】
本発明の電子機器、物体ホルダ及びシステムのこれらの及び他の特徴は、図面を参照して、以下の通り明瞭に記載される。
【発明を実施するための最良の形態】
【００２２】
図面中の対応する部材は同一の参照番号によって特定されている。
【００２３】
電子機器（図１を参照）はコンテンツを再生するための電子機器である。電子機器は制御ユニット５を含み、制御ユニット５は、再生手段７を用いてコンテンツを再生し得る。制御ユニット５は、次の事象のうちの１つが発生したことを示す信号を検知器９から受信することができる。即ち、図２及び３に示されている物体２３の図２乃至６に示されている物体ホルダ２１への挿入を含む第一事象及び物体ホルダ２１からの物体２３の取り外しを含む第二事象。さらに、制御ユニット５は、検知器９からの信号に依存して、再生手段７を用いて記憶手段３からのコンテンツの再生を開始し得る。再生手段７は、例えば、電子機器内に含まれる内部スピーカ、外部スピーカ、ヘッドホン又はスピーカ若しくはヘッドホンに結合された増幅器であり得る。もし再生手段７が電子機器１内に含まれていないならば、再生手段はコネクタ１５を介して電子機器に結合され得る。制御ユニットは、例えば、マイクロプロセッサであり得る。検知器９は、例えば、機械的スイッチまたは感光センサを含み得る。記憶手段３はハードディスクであり得る。
【００２４】
電子機器１は記憶手段３をさらに含み得る。さらに、制御ユニット５は、着脱可能媒体からのコンテンツ、図２及び３において物体２３の実施態様として示されているような、着脱可能媒体のケースの識別子、並びに、コンテンツと識別子との間の関連を記憶手段３に記憶し得る。制御ユニット５は次の事象のうちの１つが発生したことを示す信号を検知器９から受信し得る。即ち、ケースのケースホルダへの挿入を含む第一事象、並びに、ケースホルダからのケースの取り外しを含む第二事象。着脱可能媒体は、例えば、ＣＤ、ＤＶＤ、ブルーレイ又は他の光学ディスクであり得る。ケースは、例えば、宝石箱又はＤＶＤケースであり得る。
【００２５】
電子機器１は、着脱可能媒体を読み取り可能な読取装置１１をさらに含み得る。制御ユニット５は、着脱可能媒体からのコンテンツを読み取ることを読取装置１１に指示し得る。
【００２６】
制御ユニット５は、物体を物体ホルダに挿入する方法を示す信号を受信し得る。制御ユニット５は、再生手段７を用いてコンテンツの一部の再生を開始し得る。コンテンツのこの一部は、物体を物体ホルダに挿入する方法に依存している。この機能を有する電子機器１の実施態様は、図４に示されている物体ホルダの実施態様と共に好適に用い得る。
【００２７】
もし第二事象の発生が信号に示されるならば、制御ユニット５は、再生手段７を用いてコンテンツの再生を開始し得る。もし第一事象の発生が信号に示されるならば、制御ユニット５は、再生手段７を用いてコンテンツの再生を停止し得る。制御ユニット５は、物体ホルダ１２及び物体ホルダ１２における位置のうちの少なくとも１つを識別する追加識別子を受信し、この追加識別子を用いて、追加記憶手段１７から識別子を取り込み得る。追加記憶手段１７は、例えば、ハードディスク又は固体メモリであり得る。記録手段３及び追加記憶手段１７は、同一ハードウェアの論理的又は物理的に異なる部分であり得る。これらの機能の少なくとも１つを有する電子機器１の実施態様は、図２及び３に示されている物体ホルダの実施態様と共に用い得る。
【００２８】
制御ユニット５は、第一事象の発生が信号内に示されるならば、コンテンツの再生を開始し、第二事象の発生が信号内に示されるならば、コンテンツの再生を停止するために再生手段７を用い得る。制御ユニット５は、物体２３を感知することによって識別子を得ることを感知手段１３に指令し得る。これらの機能の少なくとも1つを有する電子機器の実施態様が、図５に示されている物体ホルダの実施態様と共に好適に用いられ得る。感知手段１３は、例えば、バーコードスキャナ、無線周波数受信機又は画像スキャナであり得る。もし感知手段１３が画像スキャナであるならば、識別子は、例えば、画像又は画像の特徴を含み、制御ユニット５は、コンテンツを再生している間、画像をＴＶに表示し得る。物体２３は、例えば、バーコードを含み、或いは、無線ＩＣタグを発信し得る。
【００２９】
図２において、ケースホルダが物体ホルダ２１の実施態様である。物体ホルダ２１は、次の事象のうちの少なくとも１つの発生を検知し得る検知器９を含む。即ち、物体２３の物体ホルダ２１への挿入を含む第一事象及び物体ホルダ２１からの物体２３の取り外しを含む第二事象。検知器９は、さらに、上記発生を示す信号を生成することができ、且つ、次の少なくとも１つを含む。即ち、物体を識別する識別子及び物体ホルダ２１及び物体ホルダ内の位置の少なくとも１つを識別する追加識別子。図２において、検知器９は機械的スイッチを含む。検知器９は、ワイヤ又は無線発信器を用いて、電子機器１に発信し得る。
【００３０】
図３において、物体ホルダ２１の他の実施態様は、複数のケースを保持可能なケースホルダである。この実施態様において、物体ホルダ２１の検知器９は、物体ホルダ２１の第一位置からの第一物体２３の取り外しを含む第二事象及び物体ホルダ２１の第二位置からの第一物体２３の取り外しを含む第四事象を検知し得る。代替的に、図２に示されているような複数の実施態様が重なり合って配置され得る。
【００３１】
図４において、物体ホルダ２１の他の実施態様は、ケースの挿入方法を許容するケースホルダである。ケースは物体２３の実施態様である。検知器９は、物体ホルダ２１に物体２３を挿入する方法をさらに検知し、物体ホルダ２１へ物体２３を挿入する方法の識別子を信号内に組み込み得る。図４において、検知器９は、複数の機械的スイッチを含む。スイッチの状態は、例えば、ＣＤのトラック番号に変換され得る。代替的に、検知器９は１つ又はそれ以上の光学センサを含み得る。
【００３２】
図５において、他のケースホルダは物体ホルダ２１の他の実施態様である。この実施態様において、物体ホルダ２１は感知手段１３をさらに含み、検知器９は物体２３を感知することによって識別子を得ることを感知手段１３に指令し得る。図５において、物体２３は物体２３は物体ホルダ２１の上に配置され得る。
【００３３】
図６には、電子機器１の実施態様が示されている。この実施態様は、図１に示される記憶手段３をさらに含む。図１に示される制御ユニットは、さらに、着脱可能媒体からのコンテンツ、着脱可能媒体のケースの識別子及びコンテンツと識別子との間の関連を記憶装置３上に記憶し得る。制御ユニット５は、図１に示される検知器９から、次の１つの事象の発生を示す信号を受信し得る。即ち、ケースホルダへのケースの挿入を含む第一事象及びケースホルダからのケースの取り外しを含む第二事象。この実施態様も、着脱可能媒体を読み取ることの可能な読取装置１１と、着脱可能媒体からのコンテンツを読み取ることを読取装置１１に指令し得る制御ユニット５とを含む。読取装置１１は、例えば、ＣＤ及び／又はＤＶＤを読み取り得る。制御ユニット５は、もし第一事象の発生が信号内に示されているならば、コンテンツの再生を開始し、もし第二事象の発生が信号内に示されているならば、コンテンツの再生を停止するために、図１に示される再生手段７を用い得る。制御ユニット５は、物体２３を感知することによって識別子を得ることを感知手段１３に指令し得る。
【００３４】
図６の実施態様は、感知手段１３と、検知器９とを含む。この実施態様において、着脱可能媒体の１つのケースが電子機器１の頂部に配置され得る。他の実施態様において、電子機器１は複数のケースホルダを含み得る。コンテンツが再生中又は再生済みである物体２３を保持する物体ホルダ２１は照明され得る。コンテンツが再生中の物体２３を保持するホルダ２１は例えば緑色光で照明され、コンテンツが再生済みの物体２３を保持するホルダ２１は例えば赤色光で照明され得る。物体２３を電子機器１の頂部に配置し得るのに加え、或いは、それに代えて、使用者は物体２３を電子機器内に含められたスロットに挿入し得る。電子機器１は、複数の物体２３、例えば、ケースが内部で垂直に積み重なり得る物体ホルダ２１を含んでもよい。再生中のコンテンツを識別する物体２３は徐々に排出され、使用者は物体２３を押し戻すか、或いは、再生のためにコンテンツの特定部分を選択するために物体をさらに引き出し得る。電子機器１内の構成部材、例えば、物体ホルダ２１又は検知器９は、使用者が明確な工程で特定部分を選択し得るよう、触知性フィードバック及び／又はフォースフィードバックを提供し得る。電子機器１は、例えば、感知手段１３を物理的に移動することによって、或いは、物体２３を物理的に移動することによって、複数の物体２３を感知するために１つの感知手段１３を用い得る。代替的に、各物体ホルダ２１は１つの感知手段１３を有し得る。
【００３５】
図７は、コンテンツを再生するためのシステムを示している。このシステムは、物体ホルダ２１と、電子機器１とを含む。物体ホルダ２１は次の事象の少なくとも１つの発生を検知し得る。即ち、物体の物体ホルダへの挿入を含む第一事象及び物体ホルダからの物体の取り外しを含む第二事象。物体ホルダ２１は、さらに、上記発生を示す信号を生成することができ、且つ、次の少なくとも１つを含む。即ち、物体を識別する識別子及び物体ホルダ２１及び物体ホルダ内の位置の少なくとも１つを識別する追加識別子。電子機器１は物体ホルダ２１からの信号を受信可能であり、信号に依存してコンテンツの再生を開始するために再生手段を用い得る。
【００３６】
本発明は好適実施態様に関連して記載されたが、上記に概説された原理の範囲内での好適実施態様の変更は当業者に明らかであり、よって、本発明は好適実施態様に限定されるものではなく、そのような変更を包含することが意図されていることが理解されるであろう。本発明はありとあらゆる新規な特徴的機能及びありとあらゆる特徴的機能の組み合わせに存する。請求項内の参照番号はそれらの予期される範囲を限定するものではない。「含む」という動詞及びその活用形の使用は、請求項に記載されいる部材以外の存在を排除するものではない。ある部材に先行する冠詞及び定冠詞の使用は、そのような部材が複数形で存在することを排除するものではない。
【００３７】
「手段」は、当業者に明らかなように、単独であれ、他の機能との組み合わせであれ、或いは、分離してであれ、他の素子との協働であれ、操作を遂行する或いは特別な機能を遂行するよう設計された如何なるハードウェア（例えば、個別回路、集積回路若しくは電子素子）又はソフトウェア（例えば、プログラム若しくはプログラムの部分）も含むことを意味する。
【図面の簡単な説明】
【００３８】
【図１】電子機器を示すブロック図である。
【図２】物体ホルダの第一実施態様を示す斜視図である。
【図３】物体ホルダの第二実施態様を示す斜視図である。
【図４】物体ホルダの第三実施態様を示す斜視図である。
【図５】物体ホルダの第四実施態様を示す斜視図である。
【図６】電子機器の実施態様を示す斜視図である。
【図７】システムを示すブロック図である。
【図１】
2006511015.tif 000003
【図２】
2006511015.tif 000004
【図３】
2006511015.tif 000005
【図４】
2006511015.tif 000006
【図５】
2006511015.tif 000007
【図６】
2006511015.tif 000008
【図７】
2006511015.tif 000009
【国際調査報告】
2006511015.tif 000010
2006511015.tif 000011
2006511015.tif 000012